(57)【要約】【課題】  家庭から出る生ごみは、清掃工場で焼却、地中に埋設などの処分をしているが、前者ではダイオキシン発生などの問題、後者では腐敗による悪臭発生の問題などがある。これを解決すべく提案された堆肥化装置は、微生物の作用を確実にするため、電気式、機械式の機構を必要とし、取り扱いに手間がかかる。【解決手段】  生ごみが収納可能なダンボールで構成された堆肥化用ケース２を挿入固定あるいは取出し可能に構成された横長の回転用筒部３内に固定し、回転用筒部を当該回転用筒部の周方向に回転させるよう構成されている。【選択図】  図１
0003104288.tif 000002
【実用新案登録請求の範囲】
【請求項１】
ダンボールで構成された生ごみを収納可能に構成された蓋を有する箱状の堆肥化用ケース（２）と、堆肥化用ケースを挿入固定あるいは取出し可能に構成された横長の回転用筒部（３）と、回転用筒部を当該回転用筒部の周方向に回転させるよう構成された支持台（４）と、回転用筒部の回転を適宜停止させるよう構成されたくさび部（５）からなることを特徴とする家庭ごみ用堆肥化装置。
【請求項２】
堆肥化用ケース（２）と回転用筒部（３）と支持台（４）とくさび部（５）から構成され、
堆肥化用ケース（２）は、ダンボールを素材として構成されたケース本体（２ａ）と蓋（２ｂ）から構成され、ケース本体（２ａ）は、外ケース（２ａ１）と、外ケース内に着脱自在に装着された内ケース（２ａ２）から構成され、
回転用筒部（３）は、回転筒（３ａ）と蓋押さえ（３ｂ）と固定バンド（３ｃ）から構成され、回転筒（３ａ）は、堆肥化用ケース（２）を左右方向から出し入れ可能に構成された左右に横長の円筒で構成され、蓋押さえ（３ｂ）は、回転筒（３ａ）の内面において、回転筒に挿入した堆肥化用ケースに当接するよう配設され、回転筒（３ａ）は、下方半円筒（３ａ１）と上方半円筒（３ａ２）から構成され、固定バンド（３ｃ）は、回転筒の上方半円筒を下方半円筒に固定するよう構成され、
支持台（４）は、平面方形の基枠体（４ａ）における左右部分に配設された回転筒（３ａ）の下面を回転自在の状態で受ける左前受車（４ｂ１）と左後受車（４ｂ１）と右前受車（４ｃ１）と右後受車（４ｃ１）から構成され、
くさび部（５）は、前方くさび（５ａ）と後方くさび（５ｂ）から構成され、前方くさび（５ａ）と後方くさび（５ｂ）は、支持台（４）における基枠体（４ａ）と回転用筒部（３）における回転筒（３ａ）との間に挿脱可能に構成されていることを特徴とする家庭ごみ用堆肥化装置。
【請求項３】
堆肥化用ケース（２）と回転用筒部（３）と支持台（４）とくさび部（５）から構成され、
堆肥化用ケース（２）は、ダンボールを素材として構成されたケース本体（２ａ）と蓋（２ｂ）から構成され、ケース本体（２ａ）は、外ケース（２ａ１）と、外ケース内に着脱自在に装着された内ケース（２ａ２）から構成され、内ケース（２ａ２）の上縁（２ａ２ｕ）は、外ケースの上縁（２ａ１ｕ）より少し上方に突出した状態に構成され、蓋（２ｂ）の下面には、密閉を保持するためのクッション（２ｂ３）が添着され、
回転用筒部（３）は、回転筒（３ａ）と蓋押さえ（３ｂ）と固定バンド（３ｃ）から構成され、回転筒（３ａ）は、堆肥化用ケース（２）を左右方向から出し入れ可能に構成された左右に横長の円筒で構成され、蓋押さえ（３ｂ）は、断面略三角状の型材で構成され、回転筒（３ａ）の内面において、回転筒に挿入した堆肥化用ケースにおける前方上稜線（２１）と後方上稜線（２２）と前方下稜線（２３）と後方下稜線（２４）に当接するよう配設され、回転筒（３ａ）は、中心より分断された下方半円筒（３ａ１）と上方半円筒（３ａ２）から構成され、固定バンド（３ｃ）は、回転筒の上方半円筒を下方半円筒に固定する左右のバンド（３ｃ１）から構成され、
支持台（４）は、平面方形の基枠体（４ａ）における左右部分に配設された回転筒（３ａ）における左右部分の下面を回転自在の状態で受ける左前受車（４ｂ１）と左後受車（４ｂ１）と右前受車（４ｃ１）と右後受車（４ｃ１）から構成され、左前受車と左後受車と右前受車と右後受車の上面に回転用筒部（３）が回転自在に載置され、
くさび部（５）は、前方くさび（５ａ）と後方くさび（５ｂ）から構成され、前方くさび（５ａ）は側面三角形状の板で、支持台（４）における基枠体（４ａ）の上面と回転用筒部（３）における回転筒（３ａ）の前方下面間に前方から挿脱可能に構成され、後方くさび（５ｂ）は側面三角形状の板で、支持台（４）における基枠体（４ａ）の上面と回転用筒部（３）における回転筒（３ａ）の後方下面間に後方から挿脱可能に構成されていることを特徴とする家庭ごみ用堆肥化装置。
【考案の詳細な説明】
【技術分野】
【０００１】
本考案は、新規な構成を有する家庭ごみ用堆肥化装置に関するものである。
【背景技術】
【０００２】
従来のこの種の技術は、下記のようになっている。
家庭から出る生ごみの処理は、清掃工場で焼却、地中に埋設などの処分をすることが多
い。
しかし、清掃工場での焼却処分の場合、ダイオキシン発生などの問題があり、地中に埋
設する場合、腐敗による悪臭や害虫の発生の問題などがある。
このようなことから、生ごみのコンポスト化、すなわち堆肥化を図り、上述の問題を解決しようとする種々の装置についての提案がなされている。（特許文献１、２）
【特許文献１】特開平５−２２１７６６号公報
【特許文献２】特開平６−１２２５８２号公報
【考案の開示】
【考案が解決しようとする課題】
【０００３】
従来の技術には、一応下記のような問題点を指摘することができる。
上述生ごみの堆肥化装置は、微生物の作用を確実にするため、温度や水分などの管理について電気式、機械式の機構を必要とし、取り扱いに手間がかかり、価格も高価にならざるを得ない。
【課題を解決するための手段】
【０００４】
本考案は、上述のような問題を解決するため、下記のようになるものである。
請求項１記載の考案は、ダンボールで構成された生ごみを収納可能に構成された蓋を有する箱状の堆肥化用ケース２と、堆肥化用ケースを挿入固定あるいは取出し可能に構成された横長の回転用筒部３と、回転用筒部を当該回転用筒部の周方向に回転させるよう構成された支持台４と、回転用筒部の回転を適宜停止させるよう構成されたくさび部５からなることを特徴とするものである。
【０００５】
請求項２記載の考案は、堆肥化用ケース２と回転用筒部３と支持台４とくさび部５から構成され、
Ａ．堆肥化用ケース２は、ダンボールを素材として構成されたケース本体２ａと蓋２ｂから構成され、ケース本体２ａは、外ケース２ａ１と、外ケース内に着脱自在に装着された内ケース２ａ２から構成され、
Ｂ．回転用筒部３は、回転筒３ａと蓋押さえ３ｂと固定バンド３ｃから構成され、回転筒３ａは、堆肥化用ケース２を左右方向から出し入れ可能に構成された左右に横長の円筒で構成され、蓋押さえ３ｂは、回転筒３ａの内面において、回転筒に挿入した堆肥化用ケースに当接するよう配設され、回転筒３ａは、下方半円筒３ａ１と上方半円筒３ａ２から構成され、固定バンド３ｃは、回転筒の上方半円筒を下方半円筒に固定するよう構成され、
Ｃ．支持台４は、平面方形の基枠体４ａにおける左右部分に配設された回転筒３ａの下面を回転自在の状態で受ける左前受車４ｂ１と左後受車４ｂ１と右前受車４ｃ１と右後受車４ｃ１から構成され、
Ｄ．くさび部５は、前方くさび５ａと後方くさび５ｂから構成され、前方くさび５ａと後方くさび５ｂは、支持台４における基枠体４ａと回転用筒部３における回転筒３ａとの間に挿脱可能に構成されていることを特徴とするものである。
【０００６】
請求項３記載の考案は、堆肥化用ケース２と回転用筒部３と支持台４とくさび部５から構成され、
Ａ．堆肥化用ケース２は、ダンボールを素材として構成されたケース本体２ａと蓋２ｂから構成され、ケース本体２ａは、外ケース２ａ１と、外ケース内に着脱自在に装着された内ケース２ａ２から構成され、内ケース２ａ２の上縁２ａ２ｕは、外ケースの上縁２ａ１ｕより少し上方に突出した状態に構成され、蓋２ｂの下面には、密閉を保持するためのクッション２ｂ３が添着され、
Ｂ．回転用筒部３は、回転筒３ａと蓋押さえ３ｂと固定バンド３ｃから構成され、回転筒３ａは、堆肥化用ケース２を左右方向から出し入れ可能に構成された左右に横長の円筒で構成され、蓋押さえ３ｂは、断面略三角状の型材で構成され、回転筒３ａの内面において、回転筒に挿入した堆肥化用ケースにおける前方上稜線２１と後方上稜線２２と前方下稜線２３と後方下稜線２４に当接するよう配設され、回転筒３ａは、中心より分断された下方半円筒３ａ１と上方半円筒３ａ２から構成され、固定バンド３ｃは、回転筒の上方半円筒を下方半円筒に固定する左右のバンド３ｃ１から構成され、
Ｃ．支持台４は、平面方形の基枠体４ａにおける左右部分に配設された回転筒３ａにおける左右部分の下面を回転自在の状態で受ける左前受車４ｂ１と左後受車４ｂ１と右前受車４ｃ１と右後受車４ｃ１から構成され、左前受車と左後受車と右前受車と右後受車の上面に回転用筒部３が回転自在に載置され、
Ｄ．くさび部５は、前方くさび５ａと後方くさび５ｂから構成され、前方くさび５ａは側面三角形状の板で、支持台４における基枠体４ａの上面と回転用筒部３における回転筒３ａの前方下面間に前方から挿脱可能に構成され、後方くさび５ｂは側面三角形状の板で、支持台４における基枠体４ａの上面と回転用筒部３における回転筒３ａの後方下面間に後方から挿脱可能に構成されていることを特徴とするものである。
【考案の効果】
【０００７】
本考案は、上述の通り構成されているので次に記載する効果を奏する。
１．生ごみを減少させることができる。
２．有機肥料ができる。
３．堆肥化用ケースはダンボール製であるから、気孔の作用で培養が早く、有機肥料化が促進される。
４．堆肥化用ケースはダンボール製であるが、毎日回転させて底板の位置を変えるので装置の劣化を遅らせることができる。
さらに、ケース本体２ａは、外ケース２ａ１と外ケース内に着脱自在に装着された内ケース２ａ２から構成されているので、必要に応じて、内ケースを取り替えることで本装置を長く使用することができる。
５．リサイクルで環境問題に資することができる。
６．このほかダンボールを利用しているので安価に製造できる、部品点数が少ないので組立が容易である、経済的である、などの効果をも有するものである。
【考案を実施するための最良の形態】
【０００８】
図面を参照して実施の形態の詳細を説明する。
１は本考案の家庭ごみ用堆肥化装置である。
その構成は、堆肥化用ケース２と回転用筒部３と支持台４とくさび部５から構成されている。
【０００９】
Ａ．堆肥化用ケース２は、ダンボールを素材として構成されたケース本体２ａと蓋２ｂから構成されている。
ケース本体２ａは、外ケース２ａ１と、外ケース内に着脱自在に装着された内ケース２ａ２から構成されている。
外ケース２ａ１は、平面方形の底面２ａ１１と、底面の前後左右辺に上方に向け筒状に連設された前後面２ａ１２と左右面２ａ１２から構成されている。
内ケース２ａ２は、平面方形の底面２ａ２１と、底面の前後左右辺に上方に向け筒状に連設された前後面２ａ２２と左右面２ａ２２から構成されていると共に、当該内ケースの上縁２ａ２ｕは、外ケースの上縁２ａ１ｕより少し上方に突出した状態に構成されている
。
一方、蓋２ｂは、平面方形の天板２ｂ１と、天板の前後左右辺に下方に向け連設された短い筒状面２ｂ２から構成されている。
この場合、蓋２ｂの下面には、密閉を保持するためのクッション２ｂ３が添着されている。
【００１０】
Ｂ． 回転用筒部３は、回転筒３ａと蓋押さえ３ｂと固定バンド３ｃから構成されている。
回転筒３ａは、堆肥化用ケース２を左右方向から出し入れ可能に構成された左右に横長
の円筒で構成されている。
すなわち、回転筒３ａの内径ｒは、堆肥化用ケース２における対角線ｎより少し長く構成され、かつ回転筒３ａの左右の長さＬは堆肥化用ケース２の左右の長さＬ１より長く構成されている。
一方、蓋押さえ３ｂは、断面略三角状の型材で構成され、回転筒３ａの内面において、回転筒に挿入した堆肥化用ケースにおける前方上稜線２１と後方上稜線２２と前方下稜線２３と後方下稜線２４に当接するよう配設されている。
そして、回転筒３ａは、中心より分断された下方半円筒３ａ１と上方半円筒３ａ２から構成されている。
さらに、固定バンド３ｃは、回転筒の上方半円筒を下方半円筒に固定する左右のバンド３ｃ１から構成され、バンド３ｃ１は下方半円筒に連結された前バンド３ｃ１１と後バンド３ｃ１２から構成され、両者は面ファスナー３ｃ１ｆにより係脱自在に連結されている
。
なお、面ファスナーとしてはマジックテープ（登録商標）が適当である。
また、図示では、ケース本体２ａの長さより回転筒３ａの長さが長い場合となっているが、ケース本体を回転筒より長く構成することができる。
【００１１】
Ｃ．支持台４は、平面方形の基枠体４ａと、基枠体の左右辺に植設された小壁４ｂ、４ｃと、基枠体４ａにおける左右部分に配設された回転筒３ａにおける左右部分の下面を回転自在の状態で受ける左前受車４ｂ１と左後受車４ｂ１と右前受車４ｃ１と右後受車４ｃ１から構成されている。
左前受車と左後受車と右前受車と右後受車の上面に回転用筒部３が回転自在に載置されている。
【００１２】
Ｄ．くさび部５は、前方くさび５ａと後方くさび５ｂから構成されている。
前方くさび５ａは側面三角形状の板で、支持台４における基枠体４ａの上面と回転用筒部３における回転筒３ａの前方下面間に前方から挿脱可能に構成されている。
後方くさび５ｂは側面三角形状の板で、支持台４における基枠体４ａの上面と回転用筒部３における回転筒３ａの後方下面間に後方から挿脱可能に構成されている。
これにより、回転用筒部３の回転を適宜止めることができる。
【００１３】
本考案の家庭ごみ用堆肥化装置の使用方法は下記の通りである。
第１工程
堆肥化用ケース２の蓋を取り、家庭から出る生ごみを投入し、これに適量の培養材を散布し、蓋を閉める。
堆肥化用ケース２を回転用筒部３内に固定する。
回転用筒部３を支持台４上に載せ、所望する回数回転させ、生ごみなどを攪拌させる。
なお、培養材としては、ピートモス、薫炭（原料もみ殻）、微生物群（ＥＭ菌）、オガ屑などである。
また、米ぬか、劣化した天ぷら油などを加えると有効である。
第２工程
生ごみが発生する度に堆肥化用ケースに投入し、堆肥化用ケースを回転用筒部内に固定してその都度、回転用筒部を数回回転させる。（投入は１日何回でもよい。）
回転させるのは、今回投入した生ごみと前回投入した生ごみをよく攪拌するためである
。
第３工程
目測で投入した生ごみの肥料化の速度が落ちたことを確認したら、堆肥化用ケース２を回転用筒部３から取り出し、この堆肥化用ケースから堆肥となった生ごみを排出する。
この結果、水蒸気と炭酸ガスを分解させ有機肥料を得ることができる。
【００１４】
Ａ．このようにして得た堆肥は畑などで土と混合させ、１ケ月程経過させたのち肥料として使用するとよい。
Ｂ．第１工程から第３工程までの期間は、培養材の量を約１年分とした場合、約１年である。約１年間は生ごみが発生する毎に堆肥化用ケースに投入し続けることができる。
Ｃ．第１工程から第３工程において、外気温度が１０〜４０℃（好ましくは１５〜２０
℃）の条件下であることが必要である。
これは有機肥料にするための微生物化を促進する必要があるからである。
【実施例１】
【００１５】
実施例は下記の通りである。
以下のような条件で実験した結果、極めて良好な結果が得られた。台所で実験したが、臭いについては気にならなかった。
また、本考案装置の設置環境は、上述のごとく１０〜４０℃（好ましくは１５〜２０℃
）の温度が必要であるが、家の中の温度が好適であった。したがって、台所に設置して使用したところ、発生した生ごみを即時に本装置に投入して処理することができ便利であった。
【図面の簡単な説明】
【００１６】
【図１】全体の斜視図である。
【図２】同上の分解斜視図である。
【図３】Ａ−Ａ線拡大断面図である。
【図４】Ｂ−Ｂ線拡大断面図である。
【図５】Ｃ−Ｃ線拡大断面図である。
【図６】堆肥化用ケース、回転用筒部の回転を停止させた状態を示す断面図である。
【図７】堆肥化用ケース、回転用筒部の回転による攪拌状態を示す断面図である。
【符号の説明】
【００１７】
１  家庭ごみ用堆肥化装置 
２  堆肥化用ケース
３  回転用筒部
４  支持台
５  くさび部
【図１】
0003104288.tif 000003
【図２】
0003104288.tif 000004
【図３】
0003104288.tif 000005
【図４】
0003104288.tif 000006
【図５】
0003104288.tif 000007
【図６】
0003104288.tif 000008
【図７】
0003104288.tif 000009